(57)【要約】【課題】  マッサージ器をマッサージ器幅方向に自然に移動可能とし、被施療部位を一点に集中させず、人体を痛めることがないマッサージ器の提供。【解決手段】  把持部と該把持部から軸方向に延設し、下面が平坦に形成され且つ前記把持部よりも幅広に形成されるヘッド部とからなる筐体と、前記ヘッド部下面から突出するとともに、前記ヘッド部幅方向断面上で略円弧状の軌跡を描いて移動する施療子と、前記ヘッド部内部に配設されるとともに、前記施療子の前記略円弧状の軌跡の移動を与える叩き動作発生機構とからなり、前記ヘッド部下面には、前記施療子を囲む環状の光源が配設されることを特徴とするハンディマッサージ器である。【選択図】  図１
2005334480.tif 000002
【特許請求の範囲】
【請求項１】
把持部と該把持部から軸方向に延設し、下面が平坦に形成され且つ前記把持部よりも幅広に形成されるヘッド部とからなる筐体と、
前記ヘッド部下面から突出するとともに、前記ヘッド部幅方向断面上で略円弧状の軌跡を描いて移動する略半球形状の施療子と、
前記ヘッド部内部に配設されるとともに、前記施療子の前記略円弧状の軌跡の移動を与える叩き動作発生機構とからなり、
前記ヘッド部下面には、前記施療子を囲む環状の光源が配設されることを特徴とするハンディマッサージ器。
【請求項２】
前記叩き動作発生機構は、モータと、
前記モータの回転軸に偏心して取付けられる略円筒形状の偏心子と、
前記偏心子と回転可能に嵌合する円板部と、
前記円板部外周から半径方向に延設し、該円板部と前記施療子とを接続する接続部とからなり、
前記円板部が前記偏心子と同心であることを特徴とする請求項１記載のハンディマッサージ器。
【請求項３】
前記ヘッド部下面と前記施療子との間に、可撓性材料からなるベローズが配設されることを特徴とする請求項１又は２記載のハンディマッサージ器。
【発明の詳細な説明】
【技術分野】
【０００１】
本発明は、手で保持して所望の身体部分をマッサージするマッサージ器に関し、より詳しくは、人体の被施療部位に叩き振動を与え、該被施療部位をマッサージするハンディマッサージ器に関する。
【背景技術】
【０００２】
肩こり等を緩和するために、様々なマッサージ器が市販されている。
古くは図６に示されるような孫の手（Ｔ）の掻端（Ｓ）の反対端に配設された球状の弾性体（Ｅ）で肩などの人体被施療部位を叩き、該被施療部位のこりを緩和するといった形態があった。しかしながら、このようなマッサージ具を用いてのマッサージでは、全て人力でマッサージ具を動作させなければならず、かえって被施療者を疲れさせるものとなっていた。加えて、人力でマッサージ具を動作させるため、叩き動作の振動数は非常に低く、十分なマッサージ効果を得られないという欠点を有するものであった。
【０００３】
近年、  特許文献１や図７に示されるような電動式叩きマッサージ器が提案され、市販されている。
図７に示されるように、従来からあるハンディマッサージ器は、筐体（Ｃ）内部にモータ（Ｍ）を配設し、モータ（Ｍ）を回転させることで、モータ（Ｍ）と接続した施療子（Ｐ）が直線往復運動し、人体の被施療部位に叩き振動を与えるものであった。施療子（Ｐ）はモータ（Ｍ）一回転に対して一往復の直線運動をするため、叩き動作の振動数は従来の人力によるマッサージ具と較べて格段に高くなり、より高いマッサージ効果を奏するものであった。
しかしながら、このような形態のマッサージ器は人体輪郭略直角方向に施療子が叩き振動を与えるため、施療子が当接する被施療部位は一点に集中する。また上述の如く施療子のもたらす叩き振動の振動数は非常に高いので、人体一点に叩き動作を負荷すると、かえって該人体部分にダメージを与える可能性があった。
【０００４】
【特許文献１】実公平１−４０５１６号公報
【発明の開示】
【発明が解決しようとする課題】
【０００５】
本発明は上記実情を鑑みてなされたものであって、マッサージ器をマッサージ器幅方向に自然に移動可能とし、被施療部位を一点に集中させず、人体を痛めることがないマッサージ器を提供することを目的とする。
【課題を解決するための手段】
【０００６】
請求項１記載の発明は、把持部と該把持部から軸方向に延設し、下面が平坦に形成され且つ前記把持部よりも幅広に形成されるヘッド部とからなる筐体と、前記ヘッド部下面から突出するとともに、前記ヘッド部幅方向断面上で略円弧状の軌跡を描いて移動する施療子と、前記ヘッド部内部に配設されるとともに、前記施療子の前記略円弧状の軌跡の移動を与える叩き動作発生機構とからなり、前記ヘッド部下面には、前記施療子を囲む環状の光源が配設されることを特徴とするハンディマッサージ器である。
請求項２記載の発明は、前記叩き動作発生機構は、モータと、前記モータの回転軸に偏心して取付けられる略円筒形状の偏心子と、前記偏心子と回転可能に嵌合する円板部と、
前記円板部外周から半径方向に延設し、該円板部と前記施療子とを接続する接続部とからなり、前記円板部が前記偏心子と同心であることを特徴とする請求項１記載のハンディマッサージ器である。
請求項３記載の発明は、前記ヘッド部下面と前記施療子との間に、可撓性材料からなるベローズが配設されることを特徴とする請求項１又は２記載のハンディマッサージ器である。
【発明の効果】
【０００７】
請求項１記載の発明によれば、施療子がマッサージ器幅方向断面において、略円弧状の軌跡を描いて移動するので、該円弧状軌跡のうち上下方向の成分が人体に対して叩きマッサージ効果をもたらし、幅方向成分がマッサージ器を該マッサージ器幅方向に往復移動させ、施療部位が一点に集中せず、快適なマッサージ効果を奏することができる。
また、施療子に叩き動作をさせる叩き動作発生機構がヘッド部に配設されるので、ヘッド部が重くなり、施療子の上下方向の移動によって発生するマッサージ器の上下方向の振動を抑制することができる。一方で、ヘッド部下面が平坦に形成され、且つ幅広に形成されているので、マッサージ器の幅方向の移動は非常に円滑に行われるものとなる。
請求項２記載の発明によれば、円板部と偏心子とが同心で接続しているので、施療子は正弦波状に速度変化することとなり、施療子最大突出時の施療子速度は最小となり、比較的柔らかな叩き動作を人体に与えることができる。
請求項３記載の発明によれば、ヘッド部下面と施療子との間に可撓性材料からなるベローズが配設されているので、施療子の動作に伴う振動がベローズによって吸収され、振動が把持部に伝わらず、マッサージ中に手がしびれることがない。
【発明を実施するための最良の形態】
【０００８】
以下、本発明に係るハンディマッサージ器の実施形態について、図を参照しつつ説明する。図１は本発明に係るハンディマッサージ器を示す図である。図１（ａ）はマッサージ器を側方から見た図であり、図１（ｂ）はマッサージ器を下方から見た図である。
マッサージ器（１）は、筐体（２）を有する。筐体（２）の下面からは、人体にマッサージを行う半球状の施療子（３）が突出している。また施療子（３）を囲むように環状の光源（４）が配設されている。
【０００９】
筐体（２）は把持部（２１）と把持部（２１）からマッサージ器（１）軸方向に延設するヘッド部（２２）からなる。図１（ａ）に示す如く、マッサージ器（１）下面は略平坦に形成されている。図１（ｂ）に示す如く、ヘッド部（２２）は把持部（２１）よりも幅広に形成されている。
把持部（２１）は、手で握れる太さで形成され、下面には複数の突条（２１１）が形成されている。これにより、マッサージ器（２１）は手で保持されやすくされている。マッサージ器（１）上面において、ヘッド部（２２）は上方に隆起し、ヘッド部（２２）内部に後述する施療子（３）を駆動するための叩き動作発生機構が配設可能とされている。またヘッド部（２２）側方には、フィン（２２１）が形成され、叩き動作発生機構からの熱を放散可能としている。更に、ヘッド部（２２）上部表面にはランプ（２２２）が配設され、ランプ（２２２）の点灯により、使用者に電源のオン・オフ状態を知らせる。また、ヘッド部（２２）上面の把持部（２１）側近くにスイッチ（２２３）が設けられ、叩き動作発生機構の動作モードの切換を可能とする。このような位置にスイッチ（２２３）を配設することにより、把持部（２１）を手で保持した状態において、指先でスイッチ（２２３）を操作することを可能とするとともに、スイッチ（２２３）から叩き動作発生機構までの距離を短くすることで、スイッチ（２２３）から叩き動作発生機構までの配線長さを短くし、故障の原因を最小限化している。
【００１０】
図２に叩き動作発生機構を示す。
叩き動作発生機構（５）は、ヘッド部（２２）内部に配設され、施療子（３）に叩き動作をさせる。
叩き動作発生機構（５）は、モータ（５１）と、モータ（５１）の軸に偏心して取付けられる偏心子（５２）と、偏心子（５２）と回転可能に取付けられる円板部（５３）と、円板部（５３）の外周面から円板部（５３）半径方向に突出するとともに、円板部（５３）と施療子（３）とを接続する接続部（５４）から構成される。尚、本実施例において、偏心子（５２）は円板部（５３）の中心に接続し、同心に取り付けられている。
また、施療子（３）を囲む環状の光源（４）の内壁は内方に突出し、その突出部と半球状の施療子（３）切面との間には、可撓性材料からなるベローズ（５５）が配設されている。ベローズ（５５）は略円錐形の蛇腹形状であり、ベローズ（５５）下端頂部は接続部（５４）下端と接続している。
叩き動作発生機構（５）がヘッド部（２２）内に配設されるので、ヘッド部（２２）の重量が重くなり、後述するようにその重量によって施療子（３）の叩き動作によるマッサージ器（１）の上下振動が抑制される。
【００１１】
図３は、叩き動作発生機構（５）の動作をマッサージ器（１）のヘッド部（２２）幅方向断面から見た模式図であり、明瞭化のために施療子（３）、接続部（５４）及び円板部（５３）のみを示している。図３（ａ）は、施療子（３）が最下点にある状態を示し、図３（ｂ）は図３（ａ）に示す状態からモータ（５１）が時計回りに９０°回転した状態を示し、図３（ｃ）は図３（ａ）に示す状態からモータ（５１）が時計回りに１８０°回転した状態を示し、図３（ｄ）は図３（ａ）に示す状態からモータ（５１）が時計回りに２７０°回転した状態を示している。尚、図３（ｂ）乃至図３（ｄ）において、基準位置を示すため、図３（ａ）の状態を点線で示している。
モータ（５１）が回転すると、偏心子（５２）がモータ（５１）の軸に対して偏心して取り付けられているので、その偏心量に応じて偏心子（５２）は偏心回転をする。円板部（５３）の中心は、偏心子（５２）と接続しているので、モータ（５１）の軸周りを、円軌跡を描いて移動する。
施療子（３）が最下点位置にある状態（図３（ａ）参照）から、モータ（５１）が９０°回転すると、図３（ｂ）に示す如く、施療子（３）は上方に移動しつつ、施療子（３）先端は図中右方に移動する。このとき、上述の如く接続部（５４）下端は、ベローズ（５５）下端頂部と接続支持されているので、上下方向のみ移動する。
更に、モータ（５１）を９０°回転させると、施療子（３）は更に上昇し、モータ（５１）の軸と偏心子（５２）との偏心量の倍の量だけ、施療子（３）最下点位置から上昇する。
モータ（５１）を更に９０°回転させると、施療子（３）は下方に移動しながら、図中左方に移動する。
このようにして、モータ（５１）の回転にしたがって、円板部（５３）は円軌跡を描いて移動し、接続部（５４）はベローズ（５５）下端頂部と接続する接続部（５４）下端を支点にして傾斜し、施療子（３）は円板部（５３）の円軌跡移動及び接続部（５４）の傾斜動作にしたがって、マッサージ器（１）のヘッド部（２２）幅方向断面において円弧状の軌跡を描いて移動する。
施療子（３）は半球状に形成されているので、このような幅方向運動を伴う叩き動作をしても、人体に当接する施療子（３）の曲率は一定であるので、人体に過度の負荷を与えることがない。
【００１２】
偏心子（５２）と円板部（５３）とが同心で接続しているので、施療子（３）の円弧状軌跡を描く移動成分のうち上下方向の移動速度成分は、モータ（５１）の回転位相に対して正弦波状の変化をし、施療子（３）最下点位置、即ち施療子（３）がマッサージ器（１）下面に対する最大突出量位置及び施療子（３）最上点位置、即ち施療子（３）がマッサージ器（１）下面に対する最小突出量位置において、零となる。したがって、人体に対して柔らかな叩き動作を施すことが可能となる。
また、上述の如くヘッド部（２２）内に叩き動作発生機構（５）が配されることにより、ヘッド部（２２）が重くなるので、施療子（３）の上下方向の運動に伴うマッサージ器（１）の上下方向の振動が抑制され、マッサージ中にマッサージ器（１）が人体上で跳ね上がることが防がれる。
更に、ベローズ（５５）がダンパの役割を果たし、上下方向の振動成分を吸収するので、把持部（２１）に振動が伝わらず、マッサージ中にマッサージ器（１）を保持する手がしびれることがない。
【００１３】
図４は、マッサージ器（１）を手で保持した状態を示す図である。
施療子（３）の円弧状軌跡を描く移動成分のうち、マッサージ器（１）幅方向の移動成分に起因するマッサージ器（１）幅方向に生ずる反力によって、マッサージ器（１）は手で把持される把持部（２１）を支点として、ヘッド部（２２）がマッサージ器（１）幅方向に往復運動することとなる。
したがって、施療子（３）はマッサージ器（１）の幅方向の移動に伴って、人体上を移動するので、叩き動作が一点に集中することなく、人体を傷めることがない。
また、ヘッド部（２２）が幅広に形成され、またマッサージ器（１）下面が略平坦に形成されており、マッサージ器（１）の僅かな傾斜でマッサージ器（１）の下面が人体と当接するので、上記のマッサージ器（１）の幅方向の移動は安定的になされ、幅方向の移動に起因して、施療子（３）が人体から離れることがない。
【００１４】
図５にマッサージ器（１）の使用形態を示す。
図５に示す例は、マッサージ器（１）で二の腕をマッサージしている態様である。上述の如く、マッサージ器（１）のヘッド部（２２）は幅広に形成されている。したがって、ヘッド部（２２）下面から突出する施療子（３）の位置が把握しにくい形状となっているが、本発明においては、施療子（３）周囲に発光する環状の光源（４）が配設されている。したがって、マッサージ器（１）に電力を供給することで光源（４）は発光するので、施療子（３）の位置を視認でき、施療子（３）を所望の施療部位に当接させることが容易となる。
【産業上の利用可能性】
【００１５】
本発明は、マッサージ器をマッサージ器幅方向に自然に移動可能とし、被施療部位を一点に集中させず、人体を痛めることがないマッサージ器に好適に適用される。
【図面の簡単な説明】
【００１６】
【図１】本発明に係るマッサージ器を示す図である。（ａ）はマッサージ器を側方から見た図であり、（ｂ）はマッサージ器を下方から見た図である。
【図２】本発明に係るマッサージ器の叩き動作発生機構を示す図である。
【図３】本発明に係るマッサージ器の施療子の動きを示す図である。（ａ）は施療子が最下点にある状態を示し、（ｂ）は（ａ）に示す状態からモータを時計回りに９０°回転させた状態を示し、（ｃ）は（ａ）に示す状態からモータを時計回りに１８０°回転させた状態を示し、（ｄ）は（ａ）に示す状態からモータを時計回りに２７０°回転させた状態を示す。
【図４】本発明に係るマッサージ器を手で保持した状態を示す図である。
【図５】本発明に係るマッサージ器の使用形態を示す図である。
【図６】従来のマッサージ器を示す図である。
【図７】従来のマッサージ器を示す図である。
【符号の説明】
【００１７】
１・・・・・マッサージ器
２・・・・・筐体
２１・・・・把持部
２２・・・・ヘッド部
３・・・・・施療子
４・・・・・光源
５・・・・・叩き動作発生機構
５１・・・・モータ
５２・・・・偏心子
５３・・・・円板部
５４・・・・接続部
５５・・・・ベローズ
【図１】
2005334480.tif 000003
【図２】
2005334480.tif 000004
【図３】
2005334480.tif 000005
【図４】
2005334480.tif 000006
【図５】
2005334480.tif 000007
【図６】
2005334480.tif 000008
【図７】
2005334480.tif 000009